(57)【要約】【課題】アプリケーションプログラムの起動時等においても、プレゼンス状態をリアルタイムに相互に通知し合うことが可能な携帯端末を提供する。【解決手段】所定のアプリケーションプログラムが起動された際に、現在の状態を示す現プレゼンス状態を変更する必要があるか否かを判断する判断手段（Ｓ１０２）と、前記判断手段により現プレゼンス状態を変更する必要があると判断された場合に、現プレゼンス状態を新プレゼンス状態に切り替える切替手段（Ｓ１０４）と、前記切替手段により現プレゼンス状態から新プレゼンス状態に切り替えられた際に、新プレゼンス状態を最新プレゼンス状態として、最新プレゼンス状態を示す最新プレゼンス情報を送信する送信手段（Ｓ１０６）と、を備えた。【選択図】  図１１
2008147944.tif 000002
【特許請求の範囲】
【請求項１】
所定のアプリケーションプログラムが起動された際に、現在の状態を示す現プレゼンス状態を変更する必要があるか否かを判断する判断手段と、
前記判断手段により現プレゼンス状態を変更する必要があると判断された場合に、現プレゼンス状態を新プレゼンス状態に切り替える切替手段と、
前記切替手段により現プレゼンス状態から新プレゼンス状態に切り替えられた際に、新プレゼンス状態を最新プレゼンス状態として、最新プレゼンス状態を示す最新プレゼンス情報を送信する送信手段と、
を備えたことを特徴とする携帯端末。
【請求項２】
前記切替手段により新プレゼンス状態に切り替えられた場合において、前記アプリケーションプログラムが終了した際に、前記切替手段は新プレゼンス状態を切り替え前の現プレゼンス状態に戻すとともに、
前記送信手段は、この最新の現プレゼンス状態を最新プレゼンス状態として最新プレゼンス情報を送信する請求項１記載の携帯端末。
【請求項３】
最新のプレゼンス状態を示す最新プレゼンス情報を要求するプレゼンス要求情報を受信する受信手段を備え、
前記送信手段は、前記受信手段がプレゼンス要求情報を受信した際に、最新プレゼンス情報を送信する請求項２記載の携帯端末。
【請求項４】
他の携帯端末の最新プレゼンス状態を示す最新プレゼンス情報を受信する受信手段と、
前記受信手段が最新プレゼンス情報を受信した際に、この最新プレゼンス状態を記憶する記憶手段とを備えた請求項２記載の携帯端末。
【請求項５】
前記他の携帯端末の最新プレゼンス状態を表示する表示手段を有し、
前記受信手段が他の情報処理装置の最新プレゼンス状態を示す最新プレゼンス情報を受信した際に、表示手段は、この最新プレゼンス状態を表示する請求項４記載の携帯端末。
【請求項６】
所定の操作がなされた場合に、現在の状態を示す現プレゼンス状態を変更する必要があるか否かを判断する判断手段と、
前記判断手段により現プレゼンス状態を変更する必要があると判断された場合に、現プレゼンス状態を新プレゼンス状態に切り替える切替手段と、
前記切替手段により現プレゼンス状態から新プレゼンス状態に切り替えられた際に、新プレゼンス状態を最新プレゼンス状態として、最新プレゼンス状態を示す最新プレゼンス情報を表示する表示手段と
を備えたことを特徴とする携帯端末。
【発明の詳細な説明】
【技術分野】
【０００１】
本発明は、現在の状態を示すプレゼンス情報を相互に通知し合う携帯端末に関する。
【背景技術】
【０００２】
近年、携帯端末等の情報処理装置においてＩＭＳ（ＩＰ  Ｍｕｌｔｉｍｅｄｉａ  Ｓｕｂｓｙｓｔｅｍ）の規格が搭載されており、仲間同士でメッセージをやり取りしたりするなど、リアルタイムに情報をサーバに登録して、その情報を仲間同士で共有して現在の状況を相互に通知し合う技術があった（特許文献１参照）。
【特許文献１】特開２００１−２４４９２８号公報
【発明の開示】
【発明が解決しようとする課題】
【０００３】
以上のようなＩＭＳを利用した機能として、プレゼンス情報通知機能が使用されている。このプレゼンス情報通知機能では、利用者が現在望んでいる通信手段をプレゼンス情報として通知し合うことにより、より親密なコミュニケーションを実現することが可能であると思われる。そして、プレゼンス状態を通知し合う携帯端末において、ユーザによりプレゼンス状態の設定が変更された場合のみでなく、アプリケーションプログラムが起動された場合等においても、プレゼンス状態がリアルタイムに通知し合えることが望ましい。
【０００４】
特に、携帯端末等の情報処理装置において、音声パス(レシーバ、マイク)を利用する機能として、主に音声通話、テレビ電話、ＰＴＴの３種類の機能が用いられているが、これらのいずれかの機能を利用している最中においては、音声パスの制限により、新たに別の音声パスを利用する機能が開始できなくなってしまう。
【０００５】
このような音声パスのリソース競合が発生する場合に、音声パスが必要となるアプリケーションプログラムを起動した際に、プレゼンス状態として「応答不可」にし、他の音声パスを使用するアプリケーションプログラムが使用不可である旨を他の携帯端末に通知することが望ましい。
【０００６】
本発明は、上記課題を鑑みなされたもので、アプリケーションプログラムの起動時等においても、プレゼンス状態をリアルタイムに相互に通知し合うことが可能な携帯端末を提供することを目的とする。
【課題を解決するための手段】
【０００７】
上記課題を解決するために、本発明に係る携帯端末は、所定のアプリケーションプログラムが起動された際に、現在の状態を示す現プレゼンス状態を変更する必要があるか否かを判断する判断手段と、前記判断手段により現プレゼンス状態を変更する必要があると判断された場合に、現プレゼンス状態を新プレゼンス状態に切り替える切替手段と、前記切替手段により現プレゼンス状態から新プレゼンス状態に切り替えられた際に、新プレゼンス状態を最新プレゼンス状態として、最新プレゼンス状態を示す最新プレゼンス情報を送信する送信手段と、を備えたことを特徴とする。
【発明の効果】
【０００８】
本発明によると、アプリケーションプログラムの起動時等においても、プレゼンス状態をリアルタイムに相互に通知し合うことが可能な携帯端末を提供することが可能となる。
【発明を実施するための最良の形態】
【０００９】
本発明に係る携帯端末等の情報処理装置１の実施形態について、添付図面を参照しながら説明する。なお、本発明に係る情報処理装置１として、携帯端末型の複数の情報処理装置１Ａ、１Ｂ、１Ｃ、…を例にとって説明する。
【００１０】
図１に、本発明に係る情報処理装置１が適用されるネットワークシステム２の構成図を示す。
【００１１】
このネットワークシステム２には、通信サービスの提供エリアを所望の大きさに分割したセル内にそれぞれ固定無線局である基地局３Ａ、３Ｂ、…が設置されている。この基地局３Ａ、３Ｂ、…は、移動無線局である情報処理装置１Ａ、１Ｂ、１Ｃ、…が例えばＷ−ＣＤＭＡ（Wideband-Code Division Multiple Access）方式と呼ばれる符号分割多元接続方式によって無線接続されており、例えば２ＧＨｚ周波数帯の５ＭＨｚ帯域を利用して、静止時には２Ｍｂｐｓ、移動時は３８４ｋｂｐｓのデータ転送速度で大容量の高速データ通信を行うことができる。
【００１２】
情報処理装置１は、Ｗ−ＣＤＭＡ方式によって大容量データの高速データ通信を行うことにより、音声通話だけでなく電子メールの送受信、簡易ホームページの閲覧、画像の送受信等の多種に及ぶデータ通信が可能である。
【００１３】
また、基地局３Ａ、３Ｂ、…は、有線回線を介して公衆回線網４に接続されており、公衆回線網４には、インターネットサービスプロバイダのアクセスサーバ５が接続されている。アクセスサーバ５には、ネットワーク６（例えば、インターネット、ＬＡＮ（Local Area Network）、ＷＡＮ（Wide Area Network）、その他の各種のネットワークを含む）を介して、サーバとして使用されている一般的なＰＣ等の情報管理装置７が接続されている。
【００１４】
さらに、このネットワーク６には複数の無線ＬＡＮネットワーク８Ａ、８Ｂ、…が接続されており、情報処理装置１は、無線ＬＡＮネットワーク８Ａ、８Ｂ、…のアクセスポイント９Ａ、９Ｂ、…を介して大容量通信を行うことができる。
【００１５】
ネットワークシステム２は、地上波ディジタルワンセグ放送等の基地局１０を備えており、情報処理装置１は、この基地局１０から地上波ディジタルワンセグ放送波等を受信して、視聴処理及び録画処理を行う。
【００１６】
図２及び図３に、情報処理装置１の一例として説明に用いている折り畳み型の携帯電話機の外観図を示す。図２［Ａ］は、情報処理装置１の約１８０度に見開いた状態の正面図であり、図２［Ｂ］は、情報処理装置１の見開いた状態の側面図である。また、図３［Ａ］は、情報処理装置１の折り畳んだ状態の正面図であり、図３［Ｂ］は、情報処理装置１の折り畳んだ状態の側面図である。
【００１７】
図２及び図３に示すように、情報処理装置１は、中央のヒンジ部２１を挟むように第１の筐体２２と第２の筐体２３とがヒンジ結合されており、ヒンジ部２１を介して図２のＸ方向に折り畳み可能に形成される。情報処理装置１の内部の所定の位置には、送受信用のアンテナ（後述する図４のアンテナ５７）が設けられており、内蔵されたアンテナ５７を介して基地局（図示せず）との間で電波を送受信する。
【００１８】
第１の筐体２２の中央部には、メインディスプレイ２５が設けられている。このメインディスプレイ２５の上部には、例えば、現在のアンテナ５７の感度のレベルを示すアンテナピクト、情報処理装置１の現在の電池残量を示す電池ピクト、現在の時刻等が表示される。メインディスプレイ２５の中央部には、例えば、友人のプレゼンス状態やコメント等が表示されている。メインディスプレイ２５の下部には、例えば、後述する操作キー２４に対して任意の処理が割り当てられていることを示す「選択」、「メニュー」等の処理内容が表示されている。
【００１９】
また、メインディスプレイ２５の上部の所定の位置にはスピーカ２８が設けられており、これにより、ユーザが音声を聞くことが可能となる。
【００２０】
第１の筐体２２には、その表面に「０」〜「９」の数字キー、発呼キー、リダイヤルキー、終話・電源キー、クリアキー、及び電子メールキー等の操作キー２４が設けられており、ユーザは操作キー２４を用いて各種指示を入力することができる。
【００２１】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられたメインディスプレイ２５に表示されている電話帳リストや電子メールのスクロール動作、簡易ホームページのページ捲り動作および画像の送り動作などの種々の動作を実行する。
【００２２】
また、確定キーを押下することにより、種々の機能を確定することができる。例えば第１の筐体２２は、ユーザによる十字キーの操作に応じてメインディスプレイ２５に表示された電話帳リストの複数の電話番号の中から所望の電話番号が選択され、確定キーが第１の筐体２２の内部方向に押圧されると、選択された電話番号を確定して電話番号に対して発呼処理を行う。
【００２３】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、メインディスプレイ２５に表示される画面により例えば「Ｙｅｓ」や「Ｎｏ」等の種々の機能をもつことが可能であるため、それぞれ、ソフト１キー及びソフト２キーと呼ばれる。
【００２４】
また、第１の筐体２２には、操作キー２４の下部にマイクロフォン２６が設けられており、マイクロフォン２６によって通話時のユーザの音声を集音する。また、第１の筐体２２には、情報処理装置１の操作を行うサイドキー２７が設けられている。
【００２５】
なお、第１の筐体２２は、背面側に図示しないバッテリパックが挿着されており、終話・電源キーがオン状態になると、バッテリパックから各回路部に対して電力が供給されて動作可能な状態に起動する。
【００２６】
また、第１の筐体２２と第２の筐体２３の内部の所定の位置には、情報処理装置１の状態を検知するための磁気センサ２９a、２９b、２９c、および２９dが設けられている。
【００２７】
第２の筐体２３の上部には、ＣＣＤカメラ３０が設けられており、これにより、ユーザが所望の撮影対象を撮像することが可能となる。
【００２８】
ＣＣＤカメラ３０の下部には、サブディスプレイ３１が設けられており、現在のアンテナ５７の感度のレベルを示すアンテナピクト、情報処理装置１の現在の電池残量を示す電池ピクト、現在の時刻などが表示される。また、サブディスプレイ３１には、後述するプレゼンス情報が表示される。このプレゼンス情報は、所持者である当人のプレゼンス情報であっても電話帳情報として登録されている友人のプレゼンス情報であってもよく、例えば、電話帳情報として先頭に登録されている友人のプレゼンス情報や、予め選択された友人のプレゼンス情報である。
【００２９】
サブディスプレイ３１の下部には、さらに、静電タッチパッド３２が設けられる。静電タッチパッド３２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３０】
また、スピーカ２８の上部の所定の位置には、３つのＬＥＤ（Light Emitting Diode）３３ａ〜３３ｃが設けられており、ＬＥＤ３３ａ〜３３ｃを点滅あるいは点灯させることで、情報処理装置１においてユーザのプレゼンス状態等をユーザに報知することができる。
【００３１】
図４は、情報処理装置１の機能構成図である。
【００３２】
情報処理装置１は、図４に示すように、主制御部４１、記憶部４２、電源回路部４３、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、放送波受信部５３、記録再生部５４、がバス５５によって相互に接続されて構成される。
【００３３】
主制御部４１は、様々なデータ処理や演算を行うＣＰＵ（Central Processing Unit）からなる。記憶部４２は、主制御部４１が行う処理プログラム等を格納するＲＯＭ（Read Only Memory）やハードディスク等の磁気的な記憶装置、主制御部４１が処理を行う際に使用するデータを一時的に記憶するＲＡＭ（Random Access Memory）等の電気的な記憶装置とからなる。記憶部４２には、所持者である当人のプロフィール情報や、友人のプロフィール情報、ディジタル写真情報等を含んだ電話帳情報が記憶されている。また、主制御部４１には、現在の日付と時刻を計測するタイマが内蔵されている。
【００３４】
電源回路部４３は、ユーザの操作キー２４による入力により電源のオン／オフ状態を切り替え、電源がオン状態の場合には電源（バッテリパック等）から各部に対して電力を供給して、情報処理装置１を動作可能にする。
【００３５】
操作入力制御部４４は、操作キー２４によって入力されたデータを主制御部４１に伝送する。
【００３６】
ＬＣＤ制御部４５は、主制御部４１の制御に基づいて、画像データをメインディスプレイ２５またはサブディスプレイ３１に表示する処理を行う。
【００３７】
カメラインターフェース４６は、ＣＣＤカメラ３０で撮像した画像信号をＬＣＤ制御部４５を介してメインディスプレイ２５またはサブディスプレイ３１に表示する。
【００３８】
画像エンコーダ４７は、主制御部４１の制御に基づいて、ＣＣＤカメラ３０が入力した画像信号を、例えばＭＰＥＧ−４（Moving Picture Experts Group-4）等の所定の符号化方式によって圧縮符号化して画像データを作成したり、符号化された画像データを他の符号化方式に変換して新たな画像データを作成したりする。
【００３９】
音声コーディック４８は、主制御部４１の制御に基づいて、マイクロフォン２６で集音した音声からアナログ音声信号を生成する。
【００４０】
変復調回路部４９は、音声コーディック４８からアナログ音声信号を入力してディジタル音声信号に変換し、送受信回路部５６に伝送する。送受信回路部５６はこのディジタル音声信号をアンテナ５７を介して送信する。
【００４１】
また、変復調回路部４９は、送受信回路部４６がアンテナ５７を介して受信したディジタル音声信号を入力し、このディジタル音声信号をアナログ音声信号に変換する。音声コーディック４８は、このアナログ音声信号を取得して、スピーカ２８から音声として出力する。
【００４２】
多重化分離部５０は、複数の信号を重ねて多重化信号を生成する多重化処理、及び、多重化信号を複数の信号に分離する分離処理を行う。
【００４３】
例えば、多重化分離部５０は、変復調回路部４９から入力した多重化動画像信号を、符号化画像信号と音声信号とに分け、メインバスを介して符号化画像信号を画像デコーダ５１に伝送するとともに、音声信号を音声コーディックに伝送する。
【００４４】
また、多重化分離部５０は、画像エンコーダ４７から入力した画像信号と音声コーディックから入力した音声信号とを所定の方式で多重化し、その結果得られる多重化信号を、変復調回路部４９に伝送する。
【００４５】
画像デコーダ５１は、送受信回路部５６から符号化画像信号を入力し、この符号化画像信号を所定の符号化方式に対応した復号化方式で復号することにより再生動画像信号を生成し、生成された再生動画像信号をＬＣＤ制御部４５に伝送する。ＬＣＤ制御部４５は、この生成動画信号をメインディスプレイ２５またはサブディスプレイ３１に表示する。
【００４６】
無線ＬＡＮモジュール５２は、内蔵されたアンテナ（図示せず）を介して、ＩＥＥＥ８０２．１１ａ／ｂ／ｇ等の所定の規格に準拠した無線ＬＡＮ通信を行う。
【００４７】
放送波受信部５３は、放送局４からの地上波ディジタルワンセグ放送波や地上波ディジタル放送、地上波３セグメントラジオ放送波等の放送波を受信する。放送波受信部５３は、多重化分離部５０により地上波ディジタルワンセグ放送波の受信データを音声信号と画像信号が分離して、画像信号をＬＣＤ制御部４５によりメインディスプレイ２５に表示するとともに音声信号を音声コーディック４８によりスピーカ２８を介して出力する視聴処理を行う。また、放送波受信部５３は、地上波ディジタルワンセグ放送波の受信データを記憶部４２により記憶する録画処理を行う。
【００４８】
記録再生部５４は、メモリカード５８等の外部メモリに対するインタフェースを備え、このメモリカード５８等に対して書き込み処理や読み込み処理を行う。
【００４９】
主制御部４１は、電子メール等のデータを送信する場合、操作キー２４の操作によって入力された電子メールのテキストデータを操作入力制御部４４を介して主制御部４１に送出する。主制御部４１は、テキストデータを変復調回路部４９でスペクトラム拡散処理し、送受信回路部５６でディジタルアナログ変換処理及び周波数変換処理を施した後にアンテナ５７を介して送信する。
【００５０】
また、主制御部４１は、電子メール等のデータを受信する場合、アンテナ５７を介して受信した受信信号を変復調回路部４９でスペクトラム逆拡散処理して元のテキストデータを復元した後、ＬＣＤ制御部４５を介してメインディスプレイ２５またはサブディスプレイ３１にこのテキストデータを受信メールとして表示する。その後、主制御部４１は、ユーザの操作に応じて受信メールを記憶部４２または記録再生部５４を介してメモリカード５８に記録する。
【００５１】
なお、主制御部４１が実行する種々のアプリケーションプログラムは、記憶部４２に予めインストールしておくことができる。また、主制御部４１が実行する種々のアプリケーションプログラムは、通信回線を介してダウンロードすることにより、記憶部４２にインストールすることができる。さらに、主制御部４１が実行する種々のアプリケーションプログラムは、メモリカード５８に記録しておき、記録再生部５４によって読み出して、記憶部４２にインストールすることも可能である。
【００５２】
情報処理装置１は、現在の状態を表すプレゼンス情報を仲間同士で相互に通知し合うプレゼンス情報通知機能を有しており、情報処理装置１の主制御部４１は、ユーザからの要求に応じて友人のプレゼンス情報をメインディスプレイ２５に表示する。
【００５３】
情報処理装置１は、プレゼンス情報として、情報処理装置１のユーザにとって望ましい通信手段を通知することにより、相互のコミュニケーションを円滑に行えるように促す。
【００５４】
特に、情報処理装置１において音声パス(レシーバ、マイク)を利用するアプリケーションプログラムを使用する際には、プレゼンス情報をリアルタイムに変更できることが望ましい。なぜなら、音声パスを利用するアプリケーションプログラムとして、主に音声通話、テレビ電話、ＰＴＴの３種類のアプリケーションプログラムが用いられているが、これらのいずれかの機能を利用している最中においては、音声パスの制限により、新たに別の音声パスを利用するアプリケーションプログラムが開始できなくなってしまう、すなわち音声パスが占有されてしまうためである。
【００５５】
そこで、情報処理装置１は、アプリケーションプログラムの起動等のユーザの動作に応じて、プレゼンス情報を更新するプレゼンス情報更新処理を行う。
【００５６】
情報処理装置１の記憶部４２には、図５に示すようなプレゼンス情報更新処理の処理内容を予めプレゼンス情報更新処理情報６０として記憶している。プレゼンス情報更新処理情報６０は、処理内容を指定するためのユーザの動作を示すユーザ動作情報６０ａ、音声通話時の処理内容を示す音声通話時処理情報６０ｂ、メール時の処理内容を示すメール時処理情報６０ｃ、ＰＴＴ通話時の処理内容を示すＰＴＴ通話時処理情報６０ｄ、ユーザ動作情報６０ａで示された処理を行っている時に表示されるコメントを示すコメント情報６０ｅ、ＩＭＳサービスの処理内容を示すＩＭＳサービス情報６０ｆの情報を含んでいる。
【００５７】
例えば、情報処理装置１の主制御部４１は、ユーザにより音声通話処理のアプリケーションプログラムが開始された際には、図５の最上段に示すように、ＩＭＳサービスをＯｆｆｌｉｎｅにし、音声通話を使用不可に、ＰＴＴ通話を使用不可に設定するとともに、メインディスプレイ２５に表示されるコメントを、プレゼンス情報更新処理情報６０のコメント情報６０ｅとして予め記憶されている「通話中」に変更する。なお、この場合には、メールに関しては変更する必要がない。
【００５８】
また、情報処理装置１の記憶部４２には、図６に示すような友人プレゼンス情報６１が記憶されている。情報処理装置１は、情報管理端末７から友人のプレゼンス情報を受信した際に、この友人のプレゼンス情報を記憶部４２の友人プレゼンス情報６１に随時記憶し直す。友人プレゼンス情報６１は、友人毎に、電話番号を示す電話番号情報６１ａ、名前を示す名前情報６１ｂ、通話可能な状態か否かを示す通話状態情報６１ｃ、メール可能な状態か否かを示すメール状態情報６１ｄ、ＰＴＴ通話可能な状態か否かを示すＰＴＴ状態情報６１ｅ、絵文字や顔文字や簡易テキスト等によりユーザの気分状態を示す気分状態情報６１ｆ、ユーザにより入力されたコメントを示すコメント情報６１ｇとを含んでいる。
【００５９】
情報処理装置１の主制御部４１は、この記憶部４２に記憶された友人プレゼンス情報６１に基づいて、図７に示すようなプレゼンス状態表示画面７０を、ＬＣＤ制御部４５を介してメインディスプレイ２５に表示する。
【００６０】
プレゼンス状態表示画面７０において、図７に示すように、情報処理装置１の所持者である当人及び記憶部４２に友人プレゼンス情報として登録されている友人について、名前情報６１ｂ、気分状態情報６１ｆ、コメント情報６１ｇ、音声通話状態情報６１ｃ、メール状態情報６１ｄ、ＰＴＴ通話状態情報６１ｅ等のプレゼンス状態が表示される第１の領域７１（図７において、当人の領域７１ａ、友人の領域７２ｂで示す。）と、友人の情報処理装置１にメールを送るためのメールボタン７２、第１の領域７１から友人を選択するための選択ボタン７３、メニューを表示するためのメニューボタン７４が表示される第２の領域７５を有する。
【００６１】
情報処理装置１のユーザにより、第１の領域７１（友人の領域７１ｂ）から友人の情報処理装置１が選択されて第２の領域からメールボタン７２が選択されると、主制御部４１は、選択された友人の情報処理装置１に対するメールの文章を入力されるための画面（図示せず）を表示する。
【００６２】
また、第１の領域７１（友人の領域７１ｂ）から友人が選択されて第２の領域７５から選択ボタン７３が選択されると、主制御部４１は、図８に示すような、選択された友人のユーザプロフィール画面８０をメインディスプレイ２５に表示する。ユーザプロフィール画面８０は、選択された友人に関して予め記憶部４２に記憶された電話帳情報を読み出して名前情報６１ｂやディジタル写真等を表示する第１の領域８１、記憶部４２に記憶された友人プレゼンス情報６１を読み出してオンライン／オフラインの状態やプレゼンス情報等を表示する第２の領域８２と、友人にメールを送るためのメールボタン８３、第２の領域８２から友人を選択するための選択ボタン８４、メニューを表示するためのメニューボタン８５が表示される第２の領域８６を有する。
【００６３】
一方、情報管理装置７は、複数の情報処理装置１Ａ、１Ｂ、１Ｃ、…から受信したプレゼンス情報からなるユーザプレゼンス情報６２を記憶している。ユーザプレゼンス情報６２は、図９に示すように、情報処理装置１に記憶されている友人プレゼンス情報６１と同様に、電話番号情報６２ａ、名前情報６２ｂ、音声通話状態情報６２ｃ、メール状態情報６２ｄ、ＰＴＴ通話状態情報６２ｅ、気分状態情報６２ｆ、コメント情報６２ｇを含んでおり、さらにこれらの情報が更新された最新の日時を示す更新日時情報６２ｈを含んでいる。
【００６４】
また、情報管理装置７は、図１０に示すように、複数の情報処理装置１Ａ、１Ｂ、１Ｃ、…の電話番号情報６３ａ、及び各々の情報処理装置１Ａ、１Ｂ、１Ｃ、…に友人として登録されている情報処理装置１Ａ、１Ｂ、１Ｃ、…の電話番号情報６３ｂとが対応付けられた友人リスト情報６３が予め記憶されている。情報管理装置１は、この友人リスト情報６３に基づいて、プレゼンス情報の送信処理を行う。なお、この記憶されている情報は、電話番号情報に限定されず、各情報処理装置のＩＤなどの情報であっても良い。
【００６５】
ここで、音声通話処理等のアプリケーションプログラムを起動した際等に、情報処理装置１は、プレゼンス情報が変更されたことをリアルタイムに友人の情報処理装置１に通知することが、相互に円滑なコミュニケーションを行うために必要となる。
【００６６】
以下、情報処理装置１Ａのユーザを当人とし、情報処理装置１Ｂ、１Ｃ、…のユーザを友人として、説明する。
【００６７】
情報処理装置１Ａが音声通話処理等のアプリケーションプログラムの起動に応じてプレゼンス情報を更新するプレゼンス情報更新処理の手順を、図１１に示すフローチャートに基づいて説明する。
【００６８】
始めに、情報処理装置１Ａの主制御部４１は、ユーザの操作キー２４による指示や記憶部４２に予め記憶されている起動予約情報、あるいは他の情報処理装置１Ｂ、１Ｃ等からの依頼等に基づいた指示により、音声通話処理等のアプリケーションプログラムを起動する（Ｓ１０１）。この起動操作のトリガは、例えば、発呼操作における通話ボタン押下であってもよいし、電話帳呼出操作であってもよいし、ＰＴＴ接続時の発呼操作であってもよいし、メール作成画面の呼び出し操作であってもよいし、メール送信操作であってもよい。
【００６９】
主制御部４１は、現在の状態を示す現プレゼンス状態を変更する必要があるか否かを判断する（Ｓ１０２）。例えば、図５に示したプレゼンス情報更新処理情報６０によると、音声通話処理のアプリケーションプログラムが起動している場合には、プレゼンス状態を音声通話に関して音声通話不可、ＰＴＴ通話に関してＰＴＴ通話不可に設定する必要がある。すなわち、この場合においては、主制御部４１は現プレゼンス状態が音声通話不可、ＰＴＴ通話不可に設定されているか否かを判断する。なお、メールに関しては、この場合にはメール不可に設定する必要がないので、Ｓ１０２の判断材料に含まれないようにしてもよい。
【００７０】
現プレゼンス状態を変更する必要がなかった場合（Ｓ１０２のＮｏ）には、そのままアプリケーションプログラムを継続する。
【００７１】
現プレゼンス状態を変更する必要があった場合（Ｓ１０２のＹｅｓ）には、主制御部４１は、記憶部４２に記憶する等により、現プレゼンス状態を保持する（Ｓ１０３）。図５のプレゼンス情報更新処理情報６０に基づいて現プレゼンス情報から新プレゼンス情報に切り替える（Ｓ１０４）。すなわち、図５のプレゼンス情報更新処理情報に基づいて、例えば音声通話処理を行う際には、主制御部４１は、新プレゼンス状態として音声通話不可、ＰＴＴ通話不可を設定する。
【００７２】
また、主制御部４１は、切り替え後の新プレゼンス状態を最新プレゼンス状態として、この最新プレゼンス状態を記憶し直す（Ｓ１０５）。そして、主制御部４１は、この最新プレゼンス状態を示す最新プレゼンス情報を情報管理装置７に送信する（Ｓ１０６）。
【００７３】
また主制御部４１は、アプリケーションプログラムが終了されたか否か（例えば通話が終了したか否かや、カメラ撮影モードが終了したか否か等、図５に示された「ユーザの動作」に記載された機能の終了）を判断する（Ｓ１０７）。アプリケーションプログラムは、ユーザの操作キー２４による指示あるいは記憶部４２に予め記憶されている予約情報等に基づいた指示により、終了される。アプリケーションプログラムが終了されていない場合（Ｓ１０７のＮｏ）は、主制御部４１は、そのまま待機する。
【００７４】
アプリケーションプログラムが終了された場合（Ｓ１０７のＹｅｓ）は、主制御部４１は、Ｓ１０２において現プレゼンス状態が変更されたか否かを判断する（Ｓ１０８）。すなわち、現プレゼンス状態が保持されている（Ｓ１０３の処理）場合は、現プレゼンス情報と最新プレゼンス状態とを比較し、異なっていたら現プレゼンス状態が変更されたと判断し、異なっていなかったら現プレゼンス状態が変更されていないと判断する。また、現プレゼンス状態が保持されていない場合は、現プレゼンス状態が変更されていないと判断する。
【００７５】
現プレゼンス状態が変更されていない場合（Ｓ１０８のＮｏ）は、主制御部４１は、プレゼンス状態更新処理を終了する。
【００７６】
現プレゼンス状態が変更された場合（Ｓ１０８のＹｅｓ）は、主制御部４１は、Ｓ１０３で保持された現プレゼンス状態を取得する（Ｓ１０９）。主制御部４１は、新プレゼンス状態を現プレゼンス状態に切り替えることにより、元の現プレゼンス状態に戻す（Ｓ１１０）。また、主制御部４１は、Ｓ１１０にて切り替えられた現プレゼンス状態を最新プレゼンス状態として記憶部４２に記憶し直す（Ｓ１１１）。そして、主制御部４１は、この最新プレゼンス状態を示す最新プレゼンス情報を情報管理装置７に送信して（Ｓ１１２）、プレゼンス情報更新処理を終了する。
【００７７】
ここで、Ｓ１０６及びＳ１１２において情報処理装置１Ａが情報管理装置７に対して最新プレゼンス情報を送信した際に、情報管理装置７がこれらの最新プレゼンス情報を受信してプレゼンス情報更新処理を行う手順を、図１２に示すフローチャートに基づいて説明する。
【００７８】
情報管理装置７は、情報処理装置１Ａから最新プレゼンス情報を受信したか否かを判断する（Ｓ２０１）。最新プレゼンス情報を受信していない場合（Ｓ２０１のＮｏ）は、情報管理装置７はそのまま待機する。
【００７９】
最新プレゼンス情報を受信した場合（Ｓ２０１のＹｅｓ）は、情報管理装置７は、情報処理装置１Ａから受信した最新プレゼンス情報及び現在時刻（更新時刻）を格納する。この際、情報管理装置７は、プレゼンス状態が変わった否かを判断する（Ｓ２０３）。すなわち、情報管理装置７に記憶されているプレゼンス情報と、情報処理装置１Ａから受信した最新プレゼンス情報とを比較し、異なっていた場合に、プレゼンス状態が変わったと判断される。
【００８０】
プレゼンス状態が変わらなかった場合（Ｓ２０３のＮｏ）には、情報管理装置７は、プレゼンス情報更新処理を終了する。
【００８１】
プレゼンス状態が変わった場合（Ｓ２０３のＹｅｓ）には、情報管理装置７は、予め記憶されている友人リスト情報から、情報処理装置１Ａの友人リストを電話番号情報等７０ａに基づいて取得する（Ｓ２０４）。情報管理装置７は、Ｓ２０４で取得した友人リストに羅列された友人の情報処理装置１Ｂ、１Ｃ、…に対して、情報処理装置１Ａの最新プレゼンス情報を送信する（Ｓ２０５）。そして、情報管理装置７は、プレゼンス情報更新処理を終了する。
【００８２】
次に、Ｓ２０５にて情報管理装置７により最新プレゼンス情報が送信された際に、この最新プレゼンス情報を受信した友人の情報処理装置１Ｂ、１Ｃ、…がプレゼンス情報更新処理を行う手順を、図１３に示すフローチャートに基づいて説明する。
【００８３】
情報処理装置１Ｂ、１Ｃ、…は、情報管理装置７から友人（ここでは情報処理装置１Ａ）の最新プレゼンス情報を受信したか否かを判断する（Ｓ３０１）。最新プレゼンス情報を受信しなかった場合（Ｓ３０１のＮｏ）には、主制御部４１は、プレゼンス情報更新処理を行わずに待機する。
【００８４】
最新プレゼンス情報を受信した場合（Ｓ３０１のＹｅｓ）には、主制御部４１は、情報管理装置７から受信した最新プレゼンス情報を記憶部４２に記憶する（Ｓ３０２）。この際、主制御部４１は、プレゼンス状態が変わったか否かを判断する（Ｓ３０３）。すなわち、主制御部４１は、記憶部４２に記憶されているプレゼンス情報と情報管理装置７から受信した最新プレゼンス情報とを比較し、これらが異なっているか否かを判断する。
【００８５】
プレゼンス情報が変わっていなかった場合（Ｓ３０３のＮｏ）は、主制御部４１は、プレゼンス情報更新処理を終了する。
【００８６】
プレゼンス情報が変わった場合（Ｓ３０３のＹｅｓ）は、主制御部４１は、メインディスプレイ２５にプレゼンス情報表示画面７０が表示されているか否かを判断する（Ｓ３０４）。プレゼンス情報表示画面７０が表示されていなかった場合（Ｓ３０４のＮｏ）は、主制御部４１は、プレゼンス情報更新処理を終了する。
【００８７】
プレゼンス情報表示画面７０が表示されている場合（Ｓ３０４のＹｅｓ）は、このプレゼンス情報表示画面７０を、情報管理装置７から受信した最新プレゼンス情報を有するプレゼンス情報表示画面９０に更新する（Ｓ３０５）。
【００８８】
この情報処理装置１Ａ、１Ｂ、１Ｃ、…及び情報管理装置７によるプレゼンス状態更新処理において、プレゼンス状態が変更される様子を、図７に示すプレゼンス状態表示画面７０と、図１４に示すプレゼンス状態表示画面９０とを比較して説明する。例えば、青木花子さんと赤川武さんとがＰＴＴ通話を開始する際に、ＰＴＴ通話開始前には、図７に示すように青木花子さんの音声通話状態、メール状態、及びＰＴＴ通話状態がともに音声通話可、メール可、及びＰＴＴ通話可であるが、ＰＴＴ通話開始後には、図５に示されたＰＴＴ接続時の処理内容に従い、図１４に示すように音声通話不可、メール可、及びＰＴＴ通話可に変更される。また、赤川武さんに関しては、ＰＴＴ通話開始前の図７では音声通話不可、メール可、及びＰＴＴ通話可であり、プレゼンス状態を変更するする必要がないので、ＰＴＴ通話開始後の図１４においても図７と同様に音声通話不可、メール可、及びＰＴＴ通話可と表示される。
【００８９】
また、ＰＴＴ通話が終了すると、青木花子さんの音声通話状態、メール状態、及びＰＴＴ通話状態は、再び図７に示すようにＰＴＴ通話開始前の音声通話可、メール可、及びＰＴＴ通話可に変更され、赤川武さんのプレゼンス状態は変更されていないので、そのままである。
【００９０】
このようにして、情報処理装置１Ａ、１Ｂ、１Ｃ、…において音声通話処理等のアプリケーションプログラムを起動した際に、プレゼンス情報更新処理が行われる。
【００９１】
また、情報管理装置７は、各々の情報処理装置１Ａ、１Ｂ、１Ｃ、…に対して、常に最新プレゼンス情報を提供し合えるように、各々の情報処理装置１Ａ、１Ｂ、１Ｃ、…に対して一定時間（例えば１０分）毎に最新プレゼンス情報を要求するプレゼンス情報要求処理を行っている。このプレゼンス情報要求処理について、図１５に示すフローチャートに基づいて説明する。ここでは、情報管理装置７が情報処理装置１Ａに対してプレゼンス情報要求処理を行う例について説明する。
【００９２】
情報管理装置７は、予め指定されている一定時間が経過したか否かを判断する（Ｓ４０１）。一定時間が経過していない場合（Ｓ４０１のＮｏ）には、情報管理装置７は、プレゼンス情報更新処理を行わずに待機する。
【００９３】
一定時間が経過した場合（Ｓ４０１のＹｅｓ）には、情報管理装置７は、情報処理装置１Ａに対して最新プレゼンス情報の送信を促すためのプレゼンス要求情報を送信して、最新プレゼンス情報を要求する（Ｓ４０２）。
【００９４】
情報管理装置７は、Ｓ４０２における最新プレゼンス情報の要求の応答として、情報処理装置１Ａから最新プレゼンス情報を受信したか否かを判断する（Ｓ４０３）。最新プレゼンス情報を受信していない場合（Ｓ４０３のＮｏ）は、情報管理装置７は、そのまま待機する。
【００９５】
最新プレゼンス情報を受信した場合（Ｓ４０３のＹｅｓ）は、情報管理装置７は、情報処理装置１Ａから受信した最新プレゼンス情報及び現在時刻（更新時刻）を記憶し直す（Ｓ４０４）。
【００９６】
この際、情報管理装置７は、プレゼンス状態が変わったか否かを判断する（Ｓ４０５）。予め記憶されていたプレゼンス情報と情報処理装置１Ａから受信した最新プレゼンス情報とを比較し、これらが異なっていた場合に、プレゼンス状態が変わったと判断する。プレゼンス状態が変わっていない場合（Ｓ４０５のＮｏ）には、情報管理装置７は、プレゼンス情報更新処理を終了する。
【００９７】
プレゼンス状態が変わった場合（Ｓ４０５のＹｅｓ）には、情報管理装置７は、予め記憶されている友人リスト情報から、情報処理装置１Ａの友人リストを取得する（Ｓ４０６）。情報管理装置７は、Ｓ４０６で取得した友人リストに羅列された情報処理装置１Ｂ、１Ｃ、…に対して、最新プレゼンス情報を送信する（Ｓ４０７）。そして、情報管理装置７は、プレゼンス情報更新処理を終了する。
【００９８】
ここでは、情報管理装置７が情報処理装置１Ａに対して最新プレゼンス情報を要求する例を示したが、これに限らず、複数の情報処理装置１Ａ、１Ｂ、１Ｃ、…に対して一斉にプレゼンス要求情報を送信しても、個々の情報処理装置１Ａ、１Ｂ、１Ｃ、…に対して段階的にプレゼンス要求情報を送信しても良い。
【００９９】
また、情報管理装置７がＳ４０２にてプレゼンス要求情報を送信した際に、このプレゼンス要求情報を受信した情報処理装置１Ｂ、１Ｃ、…が最新プレゼンス情報を送信するプレゼンス情報送信処理について、図１６に示すフローチャートに基づいて説明する。
【０１００】
情報処理装置１Ｂ、１Ｃ、…の主制御部４１は、情報管理装置７からプレゼンス要求情報を受信したか否かを判断する（Ｓ５０１）。プレゼンス要求情報を受信していない場合（Ｓ５０１のＮｏ）は、主制御部４１は、プレゼンス情報送信処理を行わずに待機する。
【０１０１】
プレゼンス要求情報を受信した場合（Ｓ５０１のＹｅｓ）は、情報処理装置１Ｂ、１Ｃ、…の主制御部４１は、記憶部４２に記憶されている最新プレゼンス情報を取得する（Ｓ５０２）。また、情報処理装置１Ｂ、１Ｃ、…の主制御部４１は、Ｓ５０２にて取得した最新プレゼンス情報を、情報管理装置７に送信する（Ｓ５０３）。そして、主制御部４１は、プレゼンス情報送信処理を終了する。
【０１０２】
このように、一定時間が経過する毎に情報管理装置７が情報処理装置１Ａ、１Ｂ、１Ｃ、…から最新プレゼンス情報を取得することにより、情報処理装置１Ａ、１Ｂ、１Ｃ、…が、相互の最新プレゼンス情報を常に取得することが可能となる。
【０１０３】
なお、実施形態として情報管理装置７が一定時間毎に情報管理装置１Ａ、１Ｂ、１Ｃ、…に対して最新プレゼンス情報を要求する例を説明したが、これに限らず、情報処理装置１Ａ、１Ｂ、１Ｃ、…が一定時間毎に情報管理装置７に自身の最新プレゼンス情報を送信するようにしても良い。
【０１０４】
本発明に係る情報処理装置１によると、情報処理装置１Ａにてアプリケーションプログラムが起動された場合等に、情報処理装置１Ａが最新プレゼンス情報を情報管理装置７に送信するとともに、この最新プレゼンス情報を受信した情報管理装置７が他の情報処理装置１Ｂ、１Ｃ、…に情報処理装置１Ａの最新プレゼンス情報を送信することにより、情報処理装置１Ａ、１Ｂ、１Ｃ、…は、最新のプレゼンス状態をリアルタイムに相互に通知し合うことが可能となる。
【０１０５】
なお、本発明に係る情報処理装置１として携帯電話機型の情報処理装置１について説明したいが、これに限らず、ＰＤＡ（Personal Digital Assistant）、パーソナルコンピュータ、その他の情報処理装置にも適用することができる。
【０１０６】
また、本発明の実施形態において説明した一連の処理は、ソフトウェアにより実行させることもできるが、ハードウェアにより実行させることもできる。
【０１０７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１０８】
【図１】本発明に係る情報処理装置が適用されるネットワークシステムの構成図。
【図２】本発明に係る情報処理装置の外観図。
【図３】本発明に係る情報処理装置の外観図。
【図４】本発明に係る情報処理装置の構成図。
【図５】プレゼンス情報更新処理情報のデータ構造を示す図。
【図６】本発明に係る情報処理装置に格納される友人プレゼンス情報を示すデータ構造を示す図。
【図７】本発明に係る情報処理装置におけるプレゼンス情報表示画面を示す図。
【図８】本発明に係る情報処理装置における友人プロフィール画面を示す図。
【図９】情報管理装置に格納されるユーザプレゼンス情報のデータ構造を示す図。
【図１０】情報管理装置に格納される友人リスト情報のデータ構造を示す図。
【図１１】本発明に係る情報処理装置がプレゼンス情報更新処理を行う手順を示すフローチャート。
【図１２】情報管理装置がプレゼンス情報更新処理を行う手順を示すフローチャート。
【図１３】本発明に係る情報処理装置がプレゼンス情報更新処理を行う手順を示すフローチャート。
【図１４】本発明に係る情報処理装置におけるプレゼンス情報表示画面を示す図。
【図１５】情報管理装置がプレゼンス情報要求処理を行う手順を示すフローチャート。
【図１６】情報管理装置がプレゼンス情報送信処理を行う手順を示すフローチャート。
【符号の説明】
【０１０９】
１、１Ａ、１Ｂ、１Ｃ、…  情報処理装置
２  ネットワークシステム
３Ａ、３Ｂ、…  基地局
４Ａ、４Ｂ、…  公衆回線網
５  アクセスサーバ
６  ネットワーク
７  情報管理装置
８Ａ、８Ｂ、…  無線ＬＡＮネットワーク
９Ａ、９Ｂ、…  アクセスポイント
１０  放送局
２１  ヒンジ部
２２  第１の筐体
２３  第２の筐体
２４  操作キー
２５  メインディスプレイ
２６  マイクロフォン
２７  サイドキー
２８  スピーカ
２９ａ〜２９ｄ  磁気センサ
３０  ＣＣＤカメラ
３１  サブディスプレイ
３２  静電タッチパッド
３３ａ〜３３ｃ  ＬＥＤ
４１  主制御部
４２  記憶部
４３  電源回路部
４４  操作入力制御部
４５  ＬＣＤ制御部
４６  カメラインターフェース
４７  画像エンコーダ
４８  音声コーディック
４９  変復調回路部
５０  多重化分離部
５１  画像デコーダ
５２  無線ＬＡＮモジュール
５３  放送波受信部
５４  記録再生部
５５  バス
５６  送受信回路部
５７  アンテナ
５８  メモリカード
６０  プレゼンス情報更新処理情報
６１  友人プレゼンス情報
６２  ユーザプレゼンス情報
６３  友人リスト情報
７０  プレゼンス情報表示画面
８０  ユーザプロフィール画面
９０  プレゼンス情報表示画面
【図１】
2008147944.tif 000003
【図２】
2008147944.tif 000004
【図３】
2008147944.tif 000005
【図４】
2008147944.tif 000006
【図５】
2008147944.tif 000007
【図６】
2008147944.tif 000008
【図７】
2008147944.tif 000009
【図８】
2008147944.tif 000010
【図９】
2008147944.tif 000011
【図１０】
2008147944.tif 000012
【図１１】
2008147944.tif 000013
【図１２】
2008147944.tif 000014
【図１３】
2008147944.tif 000015
【図１４】
2008147944.tif 000016
【図１５】
2008147944.tif 000017
【図１６】
2008147944.tif 000018